(57)【要約】      （修正有）【課題】ひきだしを安定的に補助し、簡潔で、設置が便利なひきだしに用いる回帰装置を提供する。【解決手段】導引部品２０を備え、導引部品２０は第一壁２２ａ、第二壁２２ｂを備え、それらの一端には固定部４２を備える第一端部３２を延伸し、第一通路２８に隣接し、保持部品５０はピン槽６４、第一、第二サポート部を備え、夫々導引部品２０の第一、二通路２８、３０に接触し、第一サポート部に備える第一サポート脚固定部４２に対応する。ひきだしはピン１７を備え、ひきだしが家具本体に相対して引き出され、或いは収納される位置に基づき、保持部品５０のピン槽６４と離脱又は係合し、弾性部品９０は保持部品５０に作用し、ひきだしを家具本体に押し入れ予定位置に達すると、弾性部品９０の引力を受けて閉まる。【選択図】図１
0003152028.tif 000002
【実用新案登録請求の範囲】
【請求項１】
ひきだしに用いる回帰メカニズムは、少なくとも１個の固定スライドレール、家具本体、少なくとも１個のひきだしを備え、
前記少なくとも１個のひきだしスライドレールを、前記ひきだしに設けて固定し、
前記固定スライドレールは、前記家具本体に設けて固定し、前記ひきだしスライドレールは、スライド可能状態で前記固定スライドレールに連結し、
前記ひきだしに用いる回帰メカニズムは、導引部品、保持部品、弾性部品を備え、
前記導引部品は、前記固定スライドレールに固定され、前記導引部品は、第一壁、第二壁を備え、及び第三壁は、第一壁一面の一部分から延伸し、これにより前記第一壁の面の他の部分は、第一通路を定義し、及び第四壁は、第二壁一面の一部分から延伸し、これにより第二壁の面の他の部分は第二通路を定義し、第一、第二壁の一端は、第一端部を延伸し、第一端部は、固定部を備え、第一通路に隣接し、
前記保持部品は、第一サポート部を備え、前記導引部品の第一通路に接触し、及び第二サポート部は、第一サポート部より延伸し、前記第一サポート部は、第一サポート脚及び第二サポート脚を備え、前記第一サポート脚は前記導引部品の固定部に対応し、及び第二サポート脚と第一サポート脚との間には、凹状区域を定義し、前記第二サポート部は、サポート板及び第三サポート脚を備え、前記サポート板は、前記導引部品の第四壁に接触し、及び前記第三サポート脚は前記導引部品の第二通路に接触し、凹状区域により、前記保持部品は予定角度のピボット状動作が可能で、これにより第一サポート脚は、前記導引部品の固定部に接触することができ、前記保持部品はさらに、第一保持壁及び第二保持壁を備え、第一保持壁と第二保持壁との間にはピン槽を定義し、
前記弾性部品の一端は、前記保持部品に連接し、反対端は、前記固定スライドレールに固定し、これにより、前記弾性部品は前記保持部品に対して後方へと引く弾力を備え、
使用方式では、前記ひきだしは、ピンを備え、前記保持部品のピン槽に対応し、前記ひきだしが、前記家具本体内に完全に収納されると、前記ひきだしのピンは前記保持部品のピン槽内に入り、しかも前記弾性部品は前記保持部品に対して、前記弾性部品の固定端方向に向かう引力を備え、
前記ひきだしが引き出され、予定の位置まで移動すると、前記ひきだしのピンは、前記保持部品の第一保持壁を押し、これにより前記保持部品はすぐにある角度の回転を行い、前記保持部品の第一サポート部の第一サポート脚は移動し、前記導引部品の第一通路を離れ、これにより、第一サポート脚は、前記導引部品の固定部に接触し、しかも前記ひきだしのピンは前記保持部品のピン槽を離れ、これにより前記ひきだしは前記弾性部品の引力作用から脱し、
前記ひきだしが前記家具本体の方向へと移動し、予定位置に達すると、前記ひきだしのピンは前記保持部品の第二保持壁を押さえ、これにより前記保持部品はある角度の回転を行い、前記保持部品の第一サポート脚を連動し、前記導引部品の固定部から離脱させ、これにより前記保持部品は前記弾性部品の引力を受け、前記ひきだしは前記家具本体内側へと収納されることを特徴とする、ひきだしに用いる回帰メカニズム。
【請求項２】
前記ひきだしに用いる回帰メカニズムは、さらに第二端部を備え、前記第一、第二壁の反対端から延伸し、前記第二端部と前記第三壁及び第四壁との間には、第一欠口及び第二欠口を定義することを特徴とする、請求項１に記載のひきだしに用いる回帰メカニズム。
【請求項３】
前記導引部品の第一端部は、第一延伸板と第二延伸板を備え、前記第二延伸板は、前記第一延伸板から内側へと延伸し、前記第一、第二延伸板の間には、挟槽を定義し、前記保持部品の一端には、頭部を延伸し、前記頭部は、前記導引部品の挟槽に対応して、挟まれることを特徴とする、請求項１に記載のひきだしに用いる回帰メカニズム。
【請求項４】
前記第二通路は、凸ブロックを備え、前記保持部品が予定位置まで移動すると、前記第二サポート部の第三サポート脚は、前記凸ブロックに接触することを特徴とする、請求項１に記載のひきだしに用いる回帰メカニズム。
【請求項５】
前記頭部と前記保持部品との間には、緩衝槽を定義し、前記頭部は、第二延伸板に対応し、上方へと傾斜する斜面を備え、及び接触停止面を設け、前記斜面に隣接し、しかも互いに鋭角を成すことを特徴とする、請求項３に記載のひきだしに用いる回帰メカニズム。
【請求項６】
前記ひきだしに用いる回帰メカニズムは、さらに側壁を備え、前記側壁は、第一壁と第二壁との間に延伸し、前記側壁と前記第一壁と前記第二壁との間には溝を定義し、前記保持部品は保持部、第一サポート部、第二サポート部を備え、前記溝内側へと延伸することを特徴とする、請求項１に記載のひきだしに用いる回帰メカニズム。
【請求項７】
前記ひきだしに用いる回帰メカニズムは、さらに第一連接台を備え、前記第一連接台は、前記保持部品の第二端部に設け、これに前記弾性部品の一端を連接して設けることを特徴とする、請求項１に記載のひきだしに用いる回帰メカニズム。
【請求項８】
前記ひきだしに用いる回帰メカニズムは、さらに前記第一連接台を連接する連接部品を備え、前記連接部品は２個の連接部を備え、前記２個の弾性部品は、その一端により、前記連接部品の連接部とそれぞれ連接して設け、前記弾性部品の反対端は、前記固定スライドレールに固定されることを特徴とする、請求項７に記載のひきだしに用いる回帰メカニズム。
【請求項９】
前記ひきだしに用いる回帰メカニズムは、さらに第一連接台及び第二連接台を備え、それぞれ前記保持部品の第二端部に設け、これによりそれぞれ前記連接部品及び前記クッションブロックと連接して設け、
前記連接部品は２個の連接部を備え、これにより前記２個の弾性部品をそれぞれ設け、前記クッションブロックと緩衝部品は対応し、前記緩衝部品の一端は、前記固定スライドレールに固定し、反対端は、伸縮可能な内棒を備え、前記クッションブロックに接触し、前記保持部品に対して、緩衝の作用力を提供することを特徴とする、請求項１に記載のひきだしに用いる回帰メカニズム。
【請求項１０】
ひきだしに用いる回帰メカニズムは、少なくとも１個の固定スライドレール、家具本体、少なくとも１個のひきだしを備え、少なくとも１個のひきだしスライドレールをひきだしに設けて固定し、
前記固定スライドレールは家具本体に設けて固定し、前記ひきだしスライドレールはスライド可能状態で固定スライドレールに連結し、
前記ひきだしに用いる回帰メカニズムは、導引部品、保持部品、弾性部品を備え、
前記導引部品は、前記固定スライドレールに固定され、
前記導引部品は、第一壁、第二壁を備え、
第三壁は、前記第一壁一面の一部分から延伸し、これにより第一壁の面の他の部分は、第一通路を定義し、
第四壁は、第二壁一面の一部分から延伸し、これにより第二壁の面の他の部分は第二通路を定義し、前記第一、第二壁の一端は、第一端部を延伸し、第一端部は、固定部を備え、第一通路に隣接し、
前記保持部品は、第一サポート部を備え、前記導引部品の第一通路に接触し、
第二サポート部は、第一サポート部より延伸し、前記第一サポート部は、第一サポート脚及び第二サポート脚を備え、第一サポート脚は前記導引部品の固定部に対応し、前記第二サポート脚と前記第一サポート脚との間には、凹状区域を定義し、
第二サポート部は、サポート板及び第三サポート脚を備え、サポート板は、前記導引部品の第四壁に接触し、及び第三サポート脚は前記導引部品の第二通路に接触し、凹状区域により、前記保持部品は予定角度のピボット状動作が可能で、これにより第一サポート脚は、該導引部品の固定部に接触することができ、
前記保持部品はさらに、第一保持壁及び第二保持壁を備え、前記第一保持壁と前記第二保持壁との間には、ピン槽を定義し、前記ひきだしは、ピンを備え、前記保持部品のピン槽に対応し、
前記第一、第二保持壁は、前記導引部品の第一壁においておおよそ垂直で、しかも前記第一保持壁の頂端が、ピン槽の底端に対応する長さは、第一サポート脚の底端が隣接する凹状区域の頂端に対応する長さより短く、
前記弾性部品の一端は、前記保持部品に連接し、反対端は、前記固定スライドレールに固定し、これにより、前記弾性部品は前記保持部品に対して後方へと引く弾力を備えることを特徴とする、ひきだしに用いる回帰メカニズム。
【請求項１１】
前記ひきだしに用いる回帰メカニズムは、さらに第二端部を備え、前記第一、第二壁の反対端から延伸し、前記第二端部と前記第三壁及び第四壁との間には、第一欠口及び第二欠口を定義することを特徴とする、請求項１０に記載のひきだしに用いる回帰メカニズム。
【請求項１２】
前記導引部品の第一端部は、第一延伸板と第二延伸板を備え、前記第二延伸板は、前記第一延伸板から延伸し、前記第一、第二延伸板の間には、挟槽を定義し、前記保持部品の一端には、頭部を延伸し、前記頭部は、前記導引部品の挟槽に対応して、挟まれることを特徴とする、請求項１０に記載のひきだしに用いる回帰メカニズム。
【請求項１３】
前記第二通路は、凸ブロックを備え、前記保持部品が予定位置まで移動すると、前記第二サポート部の第三サポート脚は、前記凸ブロックに接触することを特徴とする、請求項１０に記載のひきだしに用いる回帰メカニズム。
【請求項１４】
前記頭部と前記保持部品との間には、緩衝槽を定義し、前記頭部は、第二延伸板に対応し、上方へと傾斜する斜面を備え、及び接触停止面を設け、前記斜面に隣接し、しかも互いに鋭角を成すことを特徴とする、請求項１２に記載のひきだしに用いる回帰メカニズム。
【請求項１５】
前記ひきだしに用いる回帰メカニズムは、さらに側壁を備え、前記側壁は、第一壁と第二壁との間に延伸し、前記側壁と前記第一壁と前記第二壁との間には溝を定義し、前記保持部品は保持部、第一サポート部、第二サポート部を備え、前記溝内側へと延伸することを特徴とする、請求項１０に記載のひきだしに用いる回帰メカニズム。
【請求項１６】
前記ひきだしに用いる回帰メカニズムは、さらに第一連接台を備え、前記第一連接台は、前記保持部品の第二端部に設け、これに前記弾性部品の一端を連接して設けることを特徴とする、請求項１０に記載のひきだしに用いる回帰メカニズム。
【請求項１７】
前記ひきだしに用いる回帰メカニズムは、さらに前記第一連接台を連接する連接部品を備え、前記連接部品は２個の連接部を備え、前記２個の弾性部品は、その一端により、前記連接部品の連接部とそれぞれ連接して設け、前記弾性部品の反対端は、前記固定スライドレールに固定されることを特徴とする、請求項１６に記載のひきだしに用いる回帰メカニズム。
【請求項１８】
前記ひきだしに用いる回帰メカニズムは、さらに第一連接台及び第二連接台を備え、それぞれ前記保持部品の第二端部に設け、これによりそれぞれ前記連接部品及び前記クッションブロックと連接して設け、
前記連接部品は２個の連接部を備え、これにより前記２個の弾性部品をそれぞれ設け、前記クッションブロックと緩衝部品は対応し、前記緩衝部品の一端は、前記固定スライドレールに固定し、反対端は、伸縮可能な内棒を備え、前記クッションブロックに接触し、前記保持部品に対して、緩衝の作用力を提供することを特徴とする、請求項１０に記載のひきだしに用いる回帰メカニズム。
【請求項１９】
回帰メカニズムは、導引部品、保持部品、弾性部品を備え、
前記導引部品は、第一壁、第二壁を備え、
第三壁は、前記第一壁一面の一部分から延伸し、これにより前記第一壁の面の他の部分は、第一通路を定義し、
第四壁は、前記第二壁一面の一部分から延伸し、これにより前記第二壁の面の他の部分は第二通路を定義し、
前記第一、第二壁の一端は、第一端部を延伸し、第一端部は、固定部を備え、第一通路に隣接し、
前記保持部品は、第一サポート部を備え、前記第一サポート部は、延伸して、前記導引部品の第一通路に接触し、
第二サポート部は、前記第一サポート部より延伸し、前記第一サポート部は、第一サポート脚及び第二サポート脚を備え、前記第一サポート脚は前記導引部品の固定部に対応し、前記第二サポート脚と前記第一サポート脚との間には、凹状区域を定義し、
前記第二サポート部は、サポート板及び第三サポート脚を備え、サポート板は、前記導引部品の第四壁に接触し、及び前記第三サポート脚は前記導引部品の第二通路に接触し、前記凹状区域により、前記保持部品は予定角度のピボット状動作が可能で、これにより第一サポート脚は、前記導引部品の固定部に接触することができ、
前記保持部品はさらに、第一保持壁及び第二保持壁を備え、前記第一保持壁と前記第二保持壁との間にはピン槽を定義し、前記第一、第二保持壁は、前記導引部品の第一壁においておおよそ垂直で、しかも前記第一保持壁の頂端が、ピン槽の底端に対応する長さは、前記第一サポート脚の底端が隣接する凹状区域の頂端に対応する長さより短く、
前記弾性部品は、第一端を備え、前記第一端は、前記保持部品に連接し、及び第二端は固定され、これにより、前記弾性部品は前記保持部品に対して弾性作用力を備えることを特徴とする、回帰メカニズム。
【請求項２０】
前記回帰メカニズムは、さらに第二端部を備え、前記第二端部は、前記第一、第二壁の反対端から延伸し、前記第二端部と前記第三壁及び第四壁との間には、第一欠口及び第二欠口を定義することを特徴とする、請求項１９に記載の回帰メカニズム。
【請求項２１】
前記導引部品の第一端部は、第一延伸板と第二延伸板を備え、前記第二延伸板は、前記第一延伸板から内側へと延伸し、前記第一、第二延伸板の間には、挟槽を定義し、前記保持部品の一端には、頭部を延伸し、前記頭部は、前記導引部品の挟槽に対応して、挟まれることを特徴とする、請求項１９に記載の回帰メカニズム。
【請求項２２】
前記第二通路は、凸ブロックを備え、前記保持部品が予定位置まで移動すると、前記第二サポート部の第三サポート脚は、前記凸ブロックに接触することを特徴とする、請求項１９に記載の回帰メカニズム。
【請求項２３】
前記頭部と前記保持部品との間には、緩衝槽を定義し、前記頭部は、第二延伸板に対応し、上方へと傾斜する斜面を備え、及び接触停止面を設け、前記斜面に隣接し、しかも互いに鋭角を成すことを特徴とする、請求項２１に記載の回帰メカニズム。
【請求項２４】
前記回帰メカニズムは、さらに側壁を備え、前記側壁は、第一壁と第二壁との間に延伸し、前記側壁と前記第一壁と前記第二壁との間には溝を定義し、前記保持部品は保持部、第一サポート部、第二サポート部を備え、前記溝内側へと延伸することを特徴とする、請求項１９に記載のひきだしに用いる回帰メカニズム。
【請求項２５】
前記回帰メカニズムは、さらに第一連接台を備え、前記第一連接台は、前記保持部品の第二端部に設け、これに前記弾性部品の一端を連接して設けることを特徴とする、請求項１９に記載の回帰メカニズム。
【請求項２６】
前記回帰メカニズムは、さらに前記第一連接台を連接する連接部品を備え、前記連接部品は、２個の連接部を備え、前記２個の弾性部品は、それぞれその一端により、前記連接部品の連接部と連接して設けることを特徴とする、請求項２５に記載の回帰メカニズム。
【請求項２７】
前記回帰メカニズムは、さらに第一連接台及び第二連接台を備え、それぞれ前記保持部品の第二端部に設け、これによりそれぞれ前記連接部品及び前記クッションブロックと連接して設け、前記連接部品は２個の連接部を備え、これにより前記２個の弾性部品をそれぞれ設け、前記クッションブロックと緩衝部品は対応し、前記緩衝部品は、伸縮可能な内棒を備え、前記内棒は、前記クッションブロックに接触し、前記保持部品に対して、緩衝の作用力を提供することを特徴とする、請求項１９に記載の回帰メカニズム。
【考案の詳細な説明】
【技術分野】
【０００１】
本考案は回帰メカニズムに関し、特にひきだしの家具本体内への回帰を補助することができるひきだしに用いる回帰メカニズムに関する。
【背景技術】
【０００２】
ひきだしに用いる回帰メカニズムの公知技術に関する特許には、Rock氏考案の特許文献１の「Ｃｌｏｓｉｎｇ  ｄｅｖｉｃｅ  ｆｏｒ  ｍｏｖｉｎｇ  ａ  ｄｒａｗｅｒ  ｔｏ  ａ  ｆｕｌｌｙ  ｉｎｓｅｒｔｅｄ  ｐｏｓｉｔｉｏｎ  ｗｉｔｈｉｎ  ａ  ｆｕｒｎｉｔｕｒｅ  ｂｏｄｙ」、及びＢｒｕｓｔｌｅ氏等考案の特許文献２の「Ｃｌｏｓｉｎｇ  ｄｅｖｉｃｅ  ｆｏｒ  ｄｒａｗｅｒｓ」、及びＨｏｌｌｅｎｓｔｅｉｎ氏等考案の特許文献３の「Ｃｌｏｓｉｎｇ  ｄｅｖｉｃｅ  ｆｏｒ  ｍｏｖｉｎｇ  ａ  ｄｒａｗｅｒ  ｔｏ  ａ  ｆｕｌｌｙ  ｉｎｓｅｔｅｄ  ｐｏｓｉｔｉｏｎ  ｗｉｔｈｉｎ  ａ  ｆｕｒｎｉｔｕｒｅ  ｂｏｄｙ」、及びＳｃｈｒｏｄｅｒ氏等考案の特許文献４の「Ｄｅｖｉｃｅ  ｆｏｒ  ｈｏｌｄｉｎｇ  ａ  ｄｒａｗｅｒ  ｉｎ  ａｎ  ａｒｔｉｃｌｅ  ｏｆ  ｆｕｒｎｉｔｕｒｅ」、及びＬａｕｔｅｎｓｃｈｌａｇｅｒ氏等考案の特許文献５の「Ａｕｔｏｍａｔｉｃ  ｐｕｌｌ-ｉｎ  ｍｅｃｈａｎｉｓｍ  ｆｏｒ  ｄｒａｗｅｒｓ  ｇｕｉｄｅｓ」、及びＧｒａｂｈｅｒ氏考案の特許文献６の「Ｒｅｔｒａｃｔｉｏｎ-ａｓｓｉｓｔｉｎｇ  ｄｅｖｉｃｅ  ｆｏｒ  ｕｓｅ  ｗｉｔｈ  ａ  ｄｒａｗｅｒ」及びＧａｓｓｅｒ氏考案の特許文献７の「Ｒｅｔｒａｃｔｉｏｎ  ｄｅｖｉｃｅ  ｆｏｒ  ｄｒａｗｅｒｓ」がある。
【０００３】
最も早期に提出された特許文献１が掲示する構造は、以下の通りである。ひきだしはピンを備え、スイング部品を連動し、溝に沿って進み、スイング部品一端は弾性部品の弾力により引かれ、溝の末端には湾曲部分を形成する。これにより、スイング部品がピンに連動され溝の湾曲部分まで移動すると、スイング部品は予定角度の偏りを示し、一時的に溝の湾曲部分位置に引っ掛かる。こうして、ひきだしは自由にひきだし本体外に引き出される。ひきだしをひきだし本体に戻す時には、ピンとスイング部品が再び結合し、弾性部品の弾力を利用し、ひきだしを完全に閉める。
【０００４】
前記公知技術が掲示する設計原理も、特許文献１と相同で、溝をスイング部品のスライド構造として利用しており、溝の設計がなければ、安定的な導引行程を達成することはできない。しかも、溝構造を形成する必要があるため、溝構造を備える台体は体積が大きい。また、その設計を縮小しようとすれば、関連設計の難易度を高めてしまう。さらに、公知技術では、溝の湾曲部分により、スイング部品は予定角度の偏りを示し、一時的に係合する形態を採るが、その係合作用は、軽微な外力により簡単に外れ、効力を失ってしまい、スイング部品は弾性部品により引き戻されてしまう。本考案は、従来のひきだしに用いる回帰メカニズムの上記した欠点に鑑みてなされたものである。
【先行技術文献】
【特許文献】
【０００５】
【特許文献１】米国特許ＵＳ５，２０７，７８１号
【特許文献２】米国特許ＵＳ５，３６４，１７９号
【特許文献３】米国特許ＵＳ５，４７４，３７５号
【特許文献４】米国特許ＵＳ５，２４０，３１８号
【特許文献５】米国特許ＵＳ５，３０２，０１６号
【特許文献６】米国特許ＵＳ５，５８０，１３８号
【特許文献７】米国特許ＵＳ７，２４９，８１３号
【考案の概要】
【考案が解決しようとする課題】
【０００６】
本考案の目的は、ひきだしの家具本体内への回帰と固定を安定的に補助することができ、しかも非常に簡潔で、設置が便利なひきだしに用いる回帰メカニズムを提供することにある。
【課題を解決するための手段】
【０００７】
上記課題を解決するため、本考案は下記のひきだしに用いる回帰メカニズムを提供する。ひきだしに用いる回帰メカニズムは、少なくとも１個の固定スライドレール、家具本体、少なくとも１個のひきだしを備え、少なくとも１個のひきだしスライドレールをひきだしに設けて固定し、該固定スライドレールは家具本体に設けて固定し、該ひきだしスライドレールはスライド可能状態で固定スライドレールに連結し、回帰メカニズムは、導引部品、保持部品、弾性部品を備え、該導引部品は該固定スライドレールに固定され、該導引部品は、第一壁、第二壁を備え、第三壁は該第一壁一面の一部分から延伸し、これにより該第一壁の面の他の部分は第一通路を定義し、第四壁は該第二壁一面の一部分から延伸し、これにより該第二壁の面の他の部分は第二通路を定義し、該第一、第二壁の一端は第一端部を延伸し、該第一端部は固定部を備え、第一通路に隣接し、該保持部品は第一サポート部を備え、該導引部品の第一通路に接触し、第二サポート部は該第一サポート部より延伸し、該第一サポート部は第一サポート脚及び第二サポート脚を備え、該第一サポート脚は該導引部品の固定部に対応し、該第二サポート脚と該第一サポート脚との間には凹状区域を定義し、該第二サポート部はサポート板及び第三サポート脚を備え、該サポート板は該導引部品の第四壁に接触し、該第三サポート脚は該導引部品の第二通路に接触し、該凹状区域により該保持部品は予定角度のピボット状動作が可能で、これにより第一サポート脚は該導引部品の固定部に接触することができ、該保持部品はさらに、第一保持壁及び第二保持壁を備え、第一保持壁と第二保持壁との間にはピン槽を定義し、該弾性部品の一端は該保持部品に連接し、反対端は該固定スライドレールに固定し、これにより、該弾性部品は該保持部品に対して後方へと引く弾力を備え、使用方式では、該ひきだしはピンを備え、該保持部品のピン槽に対応し、該ひきだしが、家具本体内に完全に収納されると、該ひきだしのピンは該保持部品のピン槽内に入り、しかも該弾性部品は該保持部品に対して、該弾性部品の固定端方向に向かう引力を備え、該ひきだしが引き出され、予定の位置まで移動すると、該ひきだしのピンは該保持部品の第一保持壁を押し、これにより該保持部品はすぐにある角度の回転を行い、該保持部品の第一サポート部の第一サポート脚は移動し、該導引部品の第一通路を離れ、これにより該第一サポート脚は該導引部品の固定部に接触し、しかも該ひきだしのピンはそれに従い、該保持部品のピン槽を離れ、これにより該ひきだしは自由に外へと引き出され続け、該弾性部品の引力作用を脱し、該ひきだしが該家具本体の方向へと移動し予定位置に達すると、該ひきだしのピンは該保持部品の第二保持壁を押さえ、この際、該保持部品は速やかにある角度の回転を行い、該保持部品の第一サポート脚を連動し、該導引部品の固定部から離脱させ、これにより該保持部品は該弾性部品の引力を受け、該ひきだしは家具本体内側へと収納される。
【０００８】
ひきだしに用いる回帰メカニズムは、少なくとも１個の固定スライドレール、家具本体、少なくとも１個のひきだしを備え、少なくとも１個のひきだしスライドレールをひきだしに設けて固定し、該固定スライドレールは家具本体に設けて固定し、該ひきだしスライドレールはスライド可能状態で固定スライドレールに連結し、回帰メカニズムは、導引部品、保持部品、弾性部品を備え、該導引部品は該固定スライドレールに固定され、該導引部品は、第一壁、第二壁を備え、第三壁は該第一壁一面の一部分から延伸し、これにより該第一壁の面の他の部分は、第一通路を定義し、第四壁は該第二壁一面の一部分から延伸し、これにより該第二壁の面の他の部分は第二通路を定義し、該第一、第二壁の一端は第一端部を延伸し、該第一端部は固定部を備え、第一通路に隣接し、該保持部品は、第一サポート部を備え、該導引部品の第一通路に接触し、第二サポート部は該第一サポート部より延伸し、該第一サポート部は第一サポート脚及び第二サポート脚を備え、該第一サポート脚は該導引部品の固定部に対応し、該第二サポート脚と該第一サポート脚との間には、凹状区域を定義し、該第二サポート部はサポート板及び第三サポート脚を備え、該サポート板は該導引部品の第四壁に接触し、該第三サポート脚は該導引部品の第二通路に接触し、該凹状区域により該保持部品は予定角度のピボット状動作が可能で、これにより該第一サポート脚は該導引部品の固定部に接触することができ、該保持部品はさらに、第一保持壁及び第二保持壁を備え、該第一保持壁と該第二保持壁との間にはピン槽を定義し、該ひきだしはピンを備え、該保持部品のピン槽に対応し、該第一、第二保持壁は該導引部品の第一壁においておおよそ垂直で、しかも該第一保持壁の頂端が、ピン槽の底端に対応する長さは、該第一サポート脚の底端が隣接する凹状区域の頂端に対応する長さより短く、該弾性部品の一端は該保持部品に連接し、反対端は該固定スライドレールに固定し、これにより、該弾性部品は該保持部品に対して後方へと引く弾力を備える。
【考案の効果】
【０００９】
本考案ひきだしに用いる回帰メカニズムは、ひきだしの家具本体内への回帰と固定を安定的に補助することができ、しかも非常に簡潔で、設置が便利である。
【図面の簡単な説明】
【００１０】
【図１】本考案第一実施例による回帰メカニズムにおいて、回帰メカニズムと固定スライドレールとの分解図である。
【図２】本考案第一実施例による回帰メカニズムの分解図である。
【図３】本考案第一実施例による回帰メカニズムの組合せ図である。
【図４】本考案第一実施例による回帰メカニズムの別の角度からの組合せ図である。
【図５】本考案第一実施例による回帰メカニズムにおいて、回帰メカニズムと固定スライドレールとの組合せ図である。
【図６】本考案第一実施例による回帰メカニズムにおいて、回帰メカニズムに連接部品を増設する状態を示す分解図である。
【図７】本考案第一実施例による回帰メカニズムにおいて、連接部品を連結する回帰メカニズムと固定スライドレールとの組合せ図である。
【図８】本考案第一実施例による回帰メカニズムにおいて、回帰メカニズムをひきだしとひきだし本体に設ける組合せ方式図である。
【図９】本考案第一実施例による回帰メカニズムにおいて、回帰メカニズムと固定スライドレールとの上面組合せ断面図である。
【図１０】本考案第一実施例による回帰メカニズムにおいて、保持部品を予定の距離分引き出す状態を示す上面組合せ断面図である。
【図１１】本考案第一実施例による回帰メカニズムにおいて、導引部品の第二延伸板が押さえられる状態を示す上面組合せ断面図である。
【図１２】本考案第一実施例による回帰メカニズムにおいて、保持部品が係合される状態を示す上面組合せ断面図である。
【図１３】本考案第一実施例による回帰メカニズムにおいて、ひきだしのピンが回帰メカニズムの引き出しを離脱する状態を示す上面組合せ断面図である。
【図１４】本考案第一実施例による回帰メカニズムにおいて、保持部品が効力を失い、引き戻される状態を示す上面組合せ断面図である。
【図１５】本考案第一実施例による回帰メカニズムにおいて、ひきだしのピンが再び保持部品に連接する状態を示す上面組合せ断面図である。
【図１６】本考案第二実施例による回帰メカニズムにおいて、クッションブロックを増設する状態を示す分解図である。
【図１７】本考案第二実施例による回帰メカニズムにおいて、クッションブロックを連結する回帰メカニズムと固定スライドレールとの組合せ図である。
【図１８】考案第二実施例による回帰メカニズムにおいて、回帰メカニズムと固定スライドレールとの上面組合せ断面図である。
【図１９】本考案第二実施例による回帰メカニズムにおいて、保持部品が係合される状態を示す上面組合せ断面図である。
【考案を実施するための形態】
【００１１】
以下に図面を参照しながら本考案を実施するための最良の形態について詳細に説明する。
【実施例１】
【００１２】
図１、図５は、本考案第一実施例による回帰メカニズム１０と固定スライドレール１２との分解図及び組合せ図で、図２、図３、図４は、本考案第一実施例による回帰メカニズムの分解図、組合せ図、及び別の角度からの組合せ図である。回帰メカニズム１０は図１〜図５に示すように、導引部品２０、保持部品５０、弾性部品９０を備える。
【００１３】
導引部品２０は、固定スライドレール１２に設けて固定する。導引部品２０は、第一壁２２ａ、第二壁２２ｂを備え、側壁２４は、第一壁２２ａと第二壁２２ｂとの間に延伸する。
【００１４】
側壁２４と第一壁２２ａと第二壁２２ｂとの間には溝２６を定義する。第三壁２２ｃは、第一壁２２ａの一面の一部分から外部へと延伸し、これにより第一壁２２ａの面の他の部分は、第一通路２８を定義する。第四壁２２ｄは、第二壁２２ｂの一面の一部分から外へと延伸し、これにより第二壁２２ｂの面の他の部分は第二通路３０を定義する。第一、第二壁２２ａ、２２ｂの相対する端は、それぞれ第一端部３２及び第二端部３４を延伸する。
【００１５】
第二端部３４と第三壁２２ｃ及び第四壁２２ｄとの間には、第一欠口３６及び第二欠口３８を定義する。第一端部３２は、固定部４２、第一延伸板４４、第二延伸板４６を備える。固定部４２は、第一通路２８の末端に隣接する。第二延伸板４６は、第一延伸板４４から内側へと延伸し、第一、第二延伸板４４、４６の間には挟槽４８を定義する。本実施例中では、導引部品２０の第一端部３２及び第二端部３４には、それぞれ第一固定部３３及び第二固定部３５を設け、固定スライドレール１２には、第一係合固定部１３ａ及び第二係合固定部１３ｂをそれぞれ設け、それぞれ導引部品２０の第一固定部３３及び第二固定部３５と相互に係合して定位する(図５参照)。
【００１６】
保持部品５０は、保持部５２、第一サポート部５４、第二サポート部５６を備える。保持部５２は、導引部品２０の溝２６内に組み立てられる(図４参照)。第一サポート部５４は、導引部品２０の第一通路２８に組み立てられ、第一サポート脚５４ａ及び第二サポート脚５４ｂを備える。第二サポート部５６は、第一サポート部５４より延伸する。第一サポート脚５４ａは導引部品２０の固定部４２に対応し、第二サポート脚５４ｂと第一サポート脚５４ａとの間には、凹状区域５８を定義する。凹状区域５８により、保持部品５０は予定角度のピボット状動作が可能で、第二サポート部５６は、サポート板５６ａ及び第三サポート脚５６ｂを備える。サポート板５６ａは、導引部品２０の第四壁２２ｄに接触し、第三サポート脚５６ｂは導引部品２０の第二通路３０に接触し、第二通路３０は、凸ブロック４０を備える。
【００１７】
保持部品５０はさらに、第一保持壁６０及び第二保持壁６２を備え、第一保持壁６０との間にピン槽６４を定義し、ピン槽６４はひきだしスライドレール１８のピン１７に対応して位置する。第一、第二保持壁６０、６２は、導引部品２０の第一壁２２ａにおいておおよそ垂直で、しかも第一保持壁６０の頂端が、ピン槽６４の底端に対応する長さは、第一サポート脚５４ａの底端が隣接する凹状区域５８の頂端に対応する長さより短い。保持部品５０はまた、相互に対応する第一端及び第二端を備える。第一端は、頭部７０を延伸し、導引部品２０の挟槽４８に対応し、頭部７０と保持部品５０との間には緩衝槽７１を定義する。しかも、頭部７０は、第二延伸板４６に対応し、上方へと傾斜する斜面７２を備え、及び接触停止面７３を設け、斜面７２に隣接し、しかも互いに鋭角を成す。
【００１８】
弾性部品９０は、一端(第一端)が保持部品５０に連接し、反対端(第二端)は、固定スライドレール１２に固定する。これにより、弾性部品９０は保持部品５０に対して後方へと引く弾力を備える(図５参照)。
【００１９】
本考案第一実施例による回帰メカニズム１０と固定スライドレール１２との組合せ図である図５に示すように、回帰メカニズム１０の弾性部品９０は、保持部品５０に直接作用する。また、保持部品５０の第二端には、第一連接台７４及び一第二連接台７６を設け、それぞれ２個の部品を設けることができる。本実施例中では、連接部品７８を利用し、第一連接台７４上に設けて固定し(図６、７参照)、連接部品７８が備える２個の連接部８０、８２を利用し、２個の弾性部品をそれぞれ設ける。本実施例中では、弾性部品９０の一端は、連接部８０或いは８２の一ヶ所に設けて固定し、これにより回帰メカニズム１０の弾性部品９０もまた、保持部品５０に作用することができる。
【００２０】
図８、９(以下、図９〜図１５において、ひきだし１６は図示しない)において、使用の方式を示す。本実施例中では、複数の家具構成部品を含む。該家具構成部品は、少なくとも一対の固定スライドレール１２、家具本体１４、少なくとも１個のひきだし１６、少なくとも一対のひきだしスライドレール１８で、ひきだし１６に設けて固定する。少なくとも一対の固定スライドレール１２は、家具本体１４に設けて固定し、ひきだしスライドレール１８はスライド可能状態で一対の固定スライドレール１２に連結し、これによりひきだし１６は家具本体１４内においてスライド可能状態で引き出され、或いは押し入れられる。
【００２１】
ひきだし１６は、ピン１７を備え、ピン１７は保持部品５０のピン槽６４に対応して位置する。ひきだし１６が、家具本体１４内に完全に収納されると、ひきだし１６のピン１７は保持部品５０のピン槽６４内に入り、しかも弾性部品９０は、保持部品５０に対して、弾性部品９０の固定端方向に向かう引力を備える。よって、ひきだし１６が家具本体１４内に押し入れられ閉まった後、ひきだし１６の閉まった状態を保持することができる。
【００２２】
ひきだし１６が、家具本体１４に相対し、外へと引き出され移動する時、図１０に示すように、弾性部品９０の弾力作用を保持部品５０において克服する必要がある。ピン１７は第一保持壁６０を押さえ、ピン槽６４内に位置するため、保持部品５０は、ひきだし１６に従い移動する。この際、保持部品５０の保持部５２は、導引部品２０の溝２６に沿って移動し、しかも保持部品５０の第一サポート脚５４ａ及び第二サポート脚５４ｂは、導引部品２０の第一通路２８に沿って移動する。しかも、保持部品５０の第三サポート脚５６ｂは、導引部品２０の第二通路３０に沿って移動する。
【００２３】
図１１に示すように、ひきだし１６が持続的に引き出され予定の位置まで移動すると、保持部品５０の頭部７０は、斜面７２により、導引部品２０の第二延伸板４６に接触する。これにより、本実施例中の第二延伸板４６弾性湾曲し、図１２に示すように、保持部品５０の第一サポート脚５４ａが、移動して導引部品２０の第一通路２８を離れた後、保持部品５０はすぐにある角度の回転を行う。
【００２４】
これにより、第一サポート脚５４ａは、導引部品２０の固定部４２に接触し、しかも第二サポート部５６の第三サポート脚５６ｂは、導引部品２０の凸ブロック４０に接触し、こうして保持部品５０の移動距離制限を補助する。しかも、導引部品２０の第二延伸板４６は、保持部品５０の頭部７０を押さえ、これにより保持部品５０の頭部７０は、導引部品２０の挟槽４８内に位置してそれを保持する。弾性部品９０は、保持部品５０に対する後方へ向かう引力を依然として保持するため、保持部品５０は定位された状態を保持する。
【００２５】
ひきだし１６のピン１７は、それに従い、保持部品５０のピン槽６４を離れ、これによりひきだし１６は、自由に外へと引き出され続け、弾性部品９０の引力作用を受けなくなる(図１３参照)。反対に、ひきだし１６を家具本体１４の方向へと押し入れ予定位置まで収納すると、ひきだし１６のピン１７は、保持部品５０の第二保持壁６２を押さえ移動する。
【００２６】
この際、保持部品５０は再びある角度の回転を行い、保持部品５０の第一サポート脚５４ａを連動し、導引部品２０の固定部４２から離脱させ、しかも、第三サポート脚５６ｂを連動し、導引部品２０の凸ブロック４０から離れさせ、かつ保持部品５０の頭部７０を連動し、導引部品２０の挟槽４８から離脱させる。これにより、保持部品５０の第一サポート部５４は戻り、導引部品２０の第一通路２８に接触し、弾性部品９０の引力作用を保持部品５０において受ける。これにより、ひきだし１６は弾性部品９０の引力を受け、家具本体１４内に完全に収納され、図９に示す状態を回復する。
【００２７】
エラー方式では、図１４に示すように、ひきだし１６が、家具本体１４に相対し、外へと引き出され移動し、保持部品５０を連動する時、もし保持部品５０の第一サポート脚５４ａが、導引部品２０の固定部４２をまだ押さえず、或いは、他の原因により、保持部品５０の第一サポート脚５４ａが、導引部品２０の固定部４２を押さえないなら、弾性部品９０の引力は保持部品５０に作用するため、保持部品５０は弾性部品９０の引力方向へと、引き戻され、予定の収納位置まで移動する。
【００２８】
この際、前記の使用方式に戻そうとするなら、ひきだし１６を、家具本体１４方向へと再び押し入れる。これにより、ひきだし１６のピン１７は保持部品５０の頭部７０に接触する。ひきだし１６が、家具本体１４の方向へと持続的に押し入れられ収納される時、ひきだし１６のピン１７は、頭部７０の斜面７２に沿って移動する。これにより、頭部７０は緩衝槽７１の方向へと圧迫移動するため、図１５に示すように、ひきだし１６のピン１７は、頭部７０の斜面７２を越え、接触停止面７３と係合し、保持部品５０の動作を再び連動することができる。
【実施例２】
【００２９】
本考案第二実施例による回帰メカニズムに、クッションブロック８４を増設する分解図である図１６に示すように、クッションブロック８４は保持部品５０の第二連接台７６上に設けて固定する(図１７と図１８を合わせて参照)。本実施例中では、２個の弾性部品９０ａ、９０ｂを備え、それぞれその一端と連接部品７８の連接部８０、８２は連接して設け、弾性部品９０ａ、９０ｂの反対端は、固定スライドレール１２に固定する。本考案第二実施例はさらに、緩衝部品８６を備え、緩衝部品８６は一端が、固定スライドレール１２に固定し、反対端は伸縮可能な内棒８８を備え、クッションブロック８４に連接する。こうして、回帰メカニズム１０の保持部品５０に対して、緩衝の作用力を提供する。
【００３０】
本実施例の使用方式とエラー方式の操作は、前記実施例と相同であるが、その差異は、本実施例では、ひきだし１６が家具本体１４に相対し外へと引き出され予定距離の移動を行う時、緩衝部品８６の内棒８８が予定の長さ分伸び出し、保持部品５０を押さえる点である。図１９に示すように(この図中では、ひきだし１６は図示しない。ひきだし１６の形態については図８を参照)、ひきだし１６が引き出された後、家具本体１４へと収納されようとする時、緩衝部品８６により、回帰メカニズム１０の保持部品５０に対して、緩衝の作用力を提供し、ひきだし１６が家具本体１４へと収納される力を緩和することができる。
【００３１】
上記は本考案の最適実施例に過ぎず、本考案技術内容の説明に用いたのみで、本考案を限定するものではない。本考案の保護範囲は特許請求の範囲を基準とする。
【産業上の利用可能性】
【００３２】
本考案は実用新案の要件である新規性を備え、従来の同類製品に比べ十分な進歩を有し、実用性が高く、社会のニーズに合致しており、産業上の利用価値は非常に大きい。
【符号の説明】
【００３３】
１０      回帰メカニズム
１２      固定スライドレール
１３ａ    第一係合固定部
１３ｂ    第二係合固定部
１４      家具本体
１６      ひきだし
１７      ピン
１８      ひきだしスライドレール
２０      導引部品
２２ａ    第一壁
２２ｂ    第二壁
２２ｃ    第三壁
２２ｄ    第四壁
２４      側壁
２６      溝
２８      第一通路
３０      第二通路
３２      第一端部
３３      第一固定部
３４      第二端部
３５      第二固定部
３６      第一欠口
３８      第二欠口
４０      凸ブロック
４２      固定部
４４      第一延伸板
４６      第二延伸板
４８      挟槽
５０      保持部品
５２      保持部
５４      第一サポート部
５４ａ    第一サポート脚
５４ｂ    第二サポート脚
５６      第二サポート部
５６ａ    サポート板
５６ｂ    第三サポート脚
５８      凹状区域
６０      第一保持壁
６２      第二保持壁
６４      ピン槽
７０      頭部
７１      緩衝槽
７２      斜面
７３      接触停止面
７４      第一連接台
７６      第二連接台
７８      連接部品
８０      連接部
８２      連接部
８４      クッションブロック
８６      緩衝部品
８８      内棒
９０      弾性部品
９０ａ    弾性部品
９０ｂ    弾性部品
【図１】
0003152028.tif 000003
【図２】
0003152028.tif 000004
【図３】
0003152028.tif 000005
【図４】
0003152028.tif 000006
【図５】
0003152028.tif 000007
【図６】
0003152028.tif 000008
【図７】
0003152028.tif 000009
【図８】
0003152028.tif 000010
【図９】
0003152028.tif 000011
【図１０】
0003152028.tif 000012
【図１１】
0003152028.tif 000013
【図１２】
0003152028.tif 000014
【図１３】
0003152028.tif 000015
【図１４】
0003152028.tif 000016
【図１５】
0003152028.tif 000017
【図１６】
0003152028.tif 000018
【図１７】
0003152028.tif 000019
【図１８】
0003152028.tif 000020
【図１９】
0003152028.tif 000021
【手続補正書】
【提出日】平成21年5月12日(2009.5.12)
【手続補正１】
【補正対象書類名】明細書
【補正対象項目名】全文
【補正方法】変更
【補正の内容】
【考案の詳細な説明】
【技術分野】
【０００１】本考案は回帰装置に関し、特にひきだしの家具本体内への回帰を補助することができるひきだしに用いる回帰装置に関する。
【背景技術】
【０００２】ひきだしに用いる回帰装置の公知技術に関する特許には、Rock氏考案の特許文献１の「Ｃｌｏｓｉｎｇ  ｄｅｖｉｃｅ  ｆｏｒ  ｍｏｖｉｎｇ  ａ  ｄｒａｗｅｒ  ｔｏ  ａ  ｆｕｌｌｙ  ｉｎｓｅｒｔｅｄ  ｐｏｓｉｔｉｏｎ  ｗｉｔｈｉｎ  ａ  ｆｕｒｎｉｔｕｒｅ  ｂｏｄｙ」、及びＢｒｕｓｔｌｅ氏等考案の特許文献２の「Ｃｌｏｓｉｎｇ  ｄｅｖｉｃｅ  ｆｏｒ  ｄｒａｗｅｒｓ」、及びＨｏｌｌｅｎｓｔｅｉｎ氏等考案の特許文献３の「Ｃｌｏｓｉｎｇ  ｄｅｖｉｃｅ  ｆｏｒ  ｍｏｖｉｎｇ  ａ  ｄｒａｗｅｒ  ｔｏ  ａ  ｆｕｌｌｙ  ｉｎｓｅｔｅｄ  ｐｏｓｉｔｉｏｎ  ｗｉｔｈｉｎ  ａ  ｆｕｒｎｉｔｕｒｅ  ｂｏｄｙ」、及びＳｃｈｒｏｄｅｒ氏等考案の特許文献４の「Ｄｅｖｉｃｅ  ｆｏｒ  ｈｏｌｄｉｎｇ  ａ  ｄｒａｗｅｒ  ｉｎ  ａｎ  ａｒｔｉｃｌｅ  ｏｆ  ｆｕｒｎｉｔｕｒｅ」、及びＬａｕｔｅｎｓｃｈｌａｇｅｒ氏等考案の特許文献５の「Ａｕｔｏｍａｔｉｃ  ｐｕｌｌ-ｉｎ  ｍｅｃｈａｎｉｓｍ  ｆｏｒ  ｄｒａｗｅｒｓ  ｇｕｉｄｅｓ」、及びＧｒａｂｈｅｒ氏考案の特許文献６の「Ｒｅｔｒａｃｔｉｏｎ-ａｓｓｉｓｔｉｎｇ  ｄｅｖｉｃｅ  ｆｏｒ  ｕｓｅ  ｗｉｔｈ  ａ  ｄｒａｗｅｒ」及びＧａｓｓｅｒ氏考案の特許文献７の「Ｒｅｔｒａｃｔｉｏｎ  ｄｅｖｉｃｅ  ｆｏｒ  ｄｒａｗｅｒｓ」がある。【０００３】最も早期に提出された特許文献１が掲示する構造は、以下の通りである。ひきだしはピンを備え、スイング部品を連動し、溝に沿って進み、スイング部品一端は弾性部品の弾力により引かれ、溝の末端には湾曲部分を形成する。これにより、スイング部品がピンに連動され溝の湾曲部分まで移動すると、スイング部品は予定角度の偏りを示し、一時的に溝の湾曲部分位置に引っ掛かる。こうして、ひきだしは自由にひきだし本体外に引き出される。ひきだしをひきだし本体に戻す時には、ピンとスイング部品が再び結合し、弾性部品の弾力を利用し、ひきだしを完全に閉める。【０００４】前記公知技術が掲示する設計原理も、特許文献１と相同で、溝をスイング部品のスライド構造として利用しており、溝の設計がなければ、安定的な導引行程を達成することはできない。しかも、溝構造を形成する必要があるため、溝構造を備える台体は体積が大きい。また、その設計を縮小しようとすれば、関連設計の難易度を高めてしまう。さらに、公知技術では、溝の湾曲部分により、スイング部品は予定角度の偏りを示し、一時的に係合する形態を採るが、その係合作用は、軽微な外力により簡単に外れ、効力を失ってしまい、スイング部品は弾性部品により引き戻されてしまう。本考案は、従来のひきだしに用いる回帰装置の上記した欠点に鑑みてなされたものである。
【先行技術文献】
【特許文献】
【０００５】
【特許文献１】米国特許ＵＳ ５，２０７，７８１号
【特許文献２】米国特許ＵＳ ５，３６４，１７９号
【特許文献３】米国特許ＵＳ ５，４７４，３７５号
【特許文献４】米国特許ＵＳ ５，２４０，３１８号
【特許文献５】米国特許ＵＳ ５，３０２，０１６号
【特許文献６】米国特許ＵＳ ５，５８０，１３８号
【特許文献７】米国特許ＵＳ ７，２４９，８１３号
【考案の概要】
【考案が解決しようとする課題】
【０００６】本考案の目的は、ひきだしの家具本体内への回帰と固定を安定的に補助することができ、しかも非常に簡潔で、設置が便利なひきだしに用いる回帰装置を提供することにある。
【課題を解決するための手段】
【０００７】上記課題を解決するため、本考案は下記のひきだしに用いる回帰装置を提供する。ひきだしに用いる回帰装置は、少なくとも１個の固定スライドレール、家具本体、少なくとも１個のひきだしを備え、少なくとも１個のひきだしスライドレールをひきだしに設けて固定し、該固定スライドレールは家具本体に設けて固定し、該ひきだしスライドレールはスライド可能状態で固定スライドレールに連結し、回帰装置は、導引部品、保持部品、弾性部品を備え、該導引部品は該固定スライドレールに固定され、該導引部品は、第一壁、第二壁を備え、第三壁は該第一壁一面の一部分から延伸し、これにより該第一壁の面の他の部分は第一通路を定義し、第四壁は該第二壁一面の一部分から延伸し、これにより該第二壁の面の他の部分は第二通路を定義し、該第一、第二壁の一端は第一端部を延伸し、該第一端部は固定部を備え、第一通路に隣接し、該保持部品は第一サポート部を備え、該導引部品の第一通路に接触し、第二サポート部は該第一サポート部より延伸し、該第一サポート部は第一サポート脚及び第二サポート脚を備え、該第一サポート脚は該導引部品の固定部に対応し、該第二サポート脚と該第一サポート脚との間には凹状区域を定義し、該第二サポート部はサポート板及び第三サポート脚を備え、該サポート板は該導引部品の第四壁に接触し、該第三サポート脚は該導引部品の第二通路に接触し、該凹状区域により該保持部品は予定角度のピボット状動作が可能で、これにより第一サポート脚は該導引部品の固定部に接触することができ、該保持部品はさらに、第一保持壁及び第二保持壁を備え、第一保持壁と第二保持壁との間にはピン槽を定義し、該弾性部品の一端は該保持部品に連接し、反対端は該固定スライドレールに固定し、これにより、該弾性部品は該保持部品に対して後方へと引く弾力を備え、使用方式では、該ひきだしはピンを備え、該保持部品のピン槽に対応し、該ひきだしが、家具本体内に完全に収納されると、該ひきだしのピンは該保持部品のピン槽内に入り、しかも該弾性部品は該保持部品に対して、該弾性部品の固定端方向に向かう引力を備え、該ひきだしが引き出され、予定の位置まで移動すると、該ひきだしのピンは該保持部品の第一保持壁を押し、これにより該保持部品はすぐにある角度の回転を行い、該保持部品の第一サポート部の第一サポート脚は移動し、該導引部品の第一通路を離れ、これにより該第一サポート脚は該導引部品の固定部に接触し、しかも該ひきだしのピンはそれに従い、該保持部品のピン槽を離れ、これにより該ひきだしは自由に外へと引き出され続け、該弾性部品の引力作用を脱し、該ひきだしが該家具本体の方向へと移動し予定位置に達すると、該ひきだしのピンは該保持部品の第二保持壁を押さえ、この際、該保持部品は速やかにある角度の回転を行い、該保持部品の第一サポート脚を連動し、該導引部品の固定部から離脱させ、これにより該保持部品は該弾性部品の引力を受け、該ひきだしは家具本体内側へと収納される。【０００８】ひきだしに用いる回帰装置は、少なくとも１個の固定スライドレール、家具本体、少なくとも１個のひきだしを備え、少なくとも１個のひきだしスライドレールをひきだしに設けて固定し、該固定スライドレールは家具本体に設けて固定し、該ひきだしスライドレールはスライド可能状態で固定スライドレールに連結し、回帰装置は、導引部品、保持部品、弾性部品を備え、該導引部品は該固定スライドレールに固定され、該導引部品は、第一壁、第二壁を備え、第三壁は該第一壁一面の一部分から延伸し、これにより該第一壁の面の他の部分は、第一通路を定義し、第四壁は該第二壁一面の一部分から延伸し、これにより該第二壁の面の他の部分は第二通路を定義し、該第一、第二壁の一端は第一端部を延伸し、該第一端部は固定部を備え、第一通路に隣接し、該保持部品は、第一サポート部を備え、該導引部品の第一通路に接触し、第二サポート部は該第一サポート部より延伸し、該第一サポート部は第一サポート脚及び第二サポート脚を備え、該第一サポート脚は該導引部品の固定部に対応し、該第二サポート脚と該第一サポート脚との間には、凹状区域を定義し、該第二サポート部はサポート板及び第三サポート脚を備え、該サポート板は該導引部品の第四壁に接触し、該第三サポート脚は該導引部品の第二通路に接触し、該凹状区域により該保持部品は予定角度のピボット状動作が可能で、これにより該第一サポート脚は該導引部品の固定部に接触することができ、該保持部品はさらに、第一保持壁及び第二保持壁を備え、該第一保持壁と該第二保持壁との間にはピン槽を定義し、該ひきだしはピンを備え、該保持部品のピン槽に対応し、該第一、第二保持壁は該導引部品の第一壁においておおよそ垂直で、しかも該第一保持壁の頂端が、ピン槽の底端に対応する長さは、該第一サポート脚の底端が隣接する凹状区域の頂端に対応する長さより短く、該弾性部品の一端は該保持部品に連接し、反対端は該固定スライドレールに固定し、これにより、該弾性部品は該保持部品に対して後方へと引く弾力を備える。
【考案の効果】
【０００９】本考案ひきだしに用いる回帰装置は、ひきだしの家具本体内への回帰と固定を安定的に補助することができ、しかも非常に簡潔で、設置が便利である。
【図面の簡単な説明】
【００１０】
【図１】本考案第一実施例による回帰装置において、回帰装置と固定スライドレールとの分解図である。
【図２】本考案第一実施例による回帰装置の分解図である。
【図３】本考案第一実施例による回帰装置の組合せ図である。
【図４】本考案第一実施例による回帰装置の別の角度からの組合せ図である。
【図５】本考案第一実施例による回帰装置において、回帰装置と固定スライドレールとの組合せ図である。
【図６】本考案第一実施例による回帰装置において、回帰装置に連接部品を増設する状態を示す分解図である。
【図７】本考案第一実施例による回帰装置において、連接部品を連結する回帰装置と固定スライドレールとの組合せ図である。
【図８】本考案第一実施例による回帰装置において、回帰装置をひきだしとひきだし本体に設ける組合せ方式図である。
【図９】本考案第一実施例による回帰装置において、回帰装置と固定スライドレールとの上面組合せ断面図である。
【図１０】本考案第一実施例による回帰装置において、保持部品を予定の距離分引き出す状態を示す上面組合せ断面図である。
【図１１】本考案第一実施例による回帰装置において、導引部品の第二延伸板が押さえられる状態を示す上面組合せ断面図である。
【図１２】本考案第一実施例による回帰装置において、保持部品が係合される状態を示す上面組合せ断面図である。
【図１３】本考案第一実施例による回帰装置において、ひきだしのピンが回帰装置の引き出しを離脱する状態を示す上面組合せ断面図である。
【図１４】本考案第一実施例による回帰装置において、保持部品が効力を失い、引き戻される状態を示す上面組合せ断面図である。
【図１５】本考案第一実施例による回帰装置において、ひきだしのピンが再び保持部品に連接する状態を示す上面組合せ断面図である。
【図１６】本考案第二実施例による回帰装置において、クッションブロックを増設する状態を示す分解図である。
【図１７】本考案第二実施例による回帰装置において、クッションブロックを連結する回帰装置と固定スライドレールとの組合せ図である。
【図１８】考案第二実施例による回帰装置において、回帰装置と固定スライドレールとの上面組合せ断面図である。
【図１９】本考案第二実施例による回帰装置において、保持部品が係合される状態を示す上面組合せ断面図である。
【考案を実施するための形態】
【００１１】以下に図面を参照しながら本考案を実施するための最良の形態について詳細に説明する。
【実施例１】
【００１２】図１、図５は、本考案第一実施例による回帰装置１０と固定スライドレール１２との分解図及び組合せ図で、図２、図３、図４は、本考案第一実施例による回帰装置の分解図、組合せ図、及び別の角度からの組合せ図である。回帰装置１０は図１〜図５に示すように、導引部品２０、保持部品５０、弾性部品９０を備える。【００１３】導引部品２０は、固定スライドレール１２に設けて固定する。導引部品２０は、第一壁２２ａ、第二壁２２ｂを備え、側壁２４は、第一壁２２ａと第二壁２２ｂとの間に延伸する。【００１４】側壁２４と第一壁２２ａと第二壁２２ｂとの間には溝２６を定義する。第三壁２２ｃは、第一壁２２ａの一面の一部分から外部へと延伸し、これにより第一壁２２ａの面の他の部分は、第一通路２８を定義する。第四壁２２ｄは、第二壁２２ｂの一面の一部分から外へと延伸し、これにより第二壁２２ｂの面の他の部分は第二通路３０を定義する。第一、第二壁２２ａ、２２ｂの相対する端は、それぞれ第一端部３２及び第二端部３４を延伸する。【００１５】第二端部３４と第三壁２２ｃ及び第四壁２２ｄとの間には、第一欠口３６及び第二欠口３８を定義する。第一端部３２は、固定部４２、第一延伸板４４、第二延伸板４６を備える。固定部４２は、第一通路２８の末端に隣接する。第二延伸板４６は、第一延伸板４４から内側へと延伸し、第一、第二延伸板４４、４６の間には挟槽４８を定義する。本実施例中では、導引部品２０の第一端部３２及び第二端部３４には、それぞれ第一固定部３３及び第二固定部３５を設け、固定スライドレール１２には、第一係合固定部１３ａ及び第二係合固定部１３ｂをそれぞれ設け、それぞれ導引部品２０の第一固定部３３及び第二固定部３５と相互に係合して定位する(図５参照)。【００１６】保持部品５０は、保持部５２、第一サポート部５４、第二サポート部５６を備える。保持部５２は、導引部品２０の溝２６内に組み立てられる(図４参照)。第一サポート部５４は、導引部品２０の第一通路２８に組み立てられ、第一サポート脚５４ａ及び第二サポート脚５４ｂを備える。第二サポート部５６は、第一サポート部５４より延伸する。第一サポート脚５４ａは導引部品２０の固定部４２に対応し、第二サポート脚５４ｂと第一サポート脚５４ａとの間には、凹状区域５８を定義する。凹状区域５８により、保持部品５０は予定角度のピボット状動作が可能で、第二サポート部５６は、サポート板５６ａ及び第三サポート脚５６ｂを備える。サポート板５６ａは、導引部品２０の第四壁２２ｄに接触し、第三サポート脚５６ｂは導引部品２０の第二通路３０に接触し、第二通路３０は、凸ブロック４０を備える。【００１７】保持部品５０はさらに、第一保持壁６０及び第二保持壁６２を備え、第一保持壁６０との間にピン槽６４を定義し、ピン槽６４はひきだしスライドレール１８のピン１７に対応して位置する。第一、第二保持壁６０、６２は、導引部品２０の第一壁２２ａにおいておおよそ垂直で、しかも第一保持壁６０の頂端が、ピン槽６４の底端に対応する長さは、第一サポート脚５４ａの底端が隣接する凹状区域５８の頂端に対応する長さより短い。保持部品５０はまた、相互に対応する第一端及び第二端を備える。第一端は��頭部７０を延伸し、導引部品２０の挟槽４８に対応し、頭部７０と保持部品５０との間には緩衝槽７１を定義する。しかも、頭部７０は、第二延伸板４６に対応し、上方へと傾斜する斜面７２を備え、及び接触停止面７３を設け、斜面７２に隣接し、しかも互いに鋭角を成す。【００１８】弾性部品９０は、一端(第一端)が保持部品５０に連接し、反対端(第二端)は、固定スライドレール１２に固定する。これにより、弾性部品９０は保持部品５０に対して後方へと引く弾力を備える(図５参照)。【００１９】本考案第一実施例による回帰装置１０と固定スライドレール１２との組合せ図である図５に示すように、回帰装置１０の弾性部品９０は、保持部品５０に直接作用する。また、保持部品５０の第二端には、第一連接台７４及び一第二連接台７６を設け、それぞれ２個の部品を設けることができる。本実施例中では、連接部品７８を利用し、第一連接台７４上に設けて固定し(図６、７参照)、連接部品７８が備える２個の連接部８０、８２を利用し、２個の弾性部品をそれぞれ設ける。本実施例中では、弾性部品９０の一端は、連接部８０或いは８２の一ヶ所に設けて固定し、これにより回帰装置１０の弾性部品９０もまた、保持部品５０に作用することができる。【００２０】図８、９(以下、図９〜図１５において、ひきだし１６は図示しない)において、使用の方式を示す。本実施例中では、複数の家具構成部品を含む。該家具構成部品は、少なくとも一対の固定スライドレール１２、家具本体１４、少なくとも１個のひきだし１６、少なくとも一対のひきだしスライドレール１８で、ひきだし１６に設けて固定する。少なくとも一対の固定スライドレール１２は、家具本体１４に設けて固定し、ひきだしスライドレール１８はスライド可能状態で一対の固定スライドレール１２に連結し、これによりひきだし１６は家具本体１４内においてスライド可能状態で引き出され、或いは押し入れられる。【００２１】ひきだし１６は、ピン１７を備え、ピン１７は保持部品５０のピン槽６４に対応して位置する。ひきだし１６が、家具本体１４内に完全に収納されると、ひきだし１６のピン１７は保持部品５０のピン槽６４内に入り、しかも弾性部品９０は、保持部品５０に対して、弾性部品９０の固定端方向に向かう引力を備える。よって、ひきだし１６が家具本体１４内に押し入れられ閉まった後、ひきだし１６の閉まった状態を保持することができる。【００２２】ひきだし１６が、家具本体１４に相対し、外へと引き出され移動する時、図１０に示すように、弾性部品９０の弾力作用を保持部品５０において克服する必要がある。ピン１７は第一保持壁６０を押さえ、ピン槽６４内に位置するため、保持部品５０は、ひきだし１６に従い移動する。この際、保持部品５０の保持部５２は、導引部品２０の溝２６に沿って移動し、しかも保持部品５０の第一サポート脚５４ａ及び第二サポート脚５４ｂは、導引部品２０の第一通路２８に沿って移動する。しかも、保持部品５０の第三サポート脚５６ｂは、導引部品２０の第二通路３０に沿って移動する。【００２３】図１１に示すように、ひきだし１６が持続的に引き出され予定の位置まで移動すると、保持部品５０の頭部７０は、斜面７２により、導引部品２０の第二延���板４６に接触する。これにより、本実施例中の第二延伸板４６弾性湾曲し、図１２に示すように、保持部品５０の第一サポート脚５４ａが、移動して導引部品２０の第一通路２８を離れた後、保持部品５０はすぐにある角度の回転を行う。【００２４】これにより、第一サポート脚５４ａは、導引部品２０の固定部４２に接触し、しかも第二サポート部５６の第三サポート脚５６ｂは、導引部品２０の凸ブロック４０に接触し、こうして保持部品５０の移動距離制限を補助する。しかも、導引部品２０の第二延伸板４６は、保持部品５０の頭部７０を押さえ、これにより保持部品５０の頭部７０は、導引部品２０の挟槽４８内に位置してそれを保持する。弾性部品９０は、保持部品５０に対する後方へ向かう引力を依然として保持するため、保持部品５０は定位された状態を保持する。【００２５】ひきだし１６のピン１７は、それに従い、保持部品５０のピン槽６４を離れ、これによりひきだし１６は、自由に外へと引き出され続け、弾性部品９０の引力作用を受けなくなる(図１３参照)。反対に、ひきだし１６を家具本体１４の方向へと押し入れ予定位置まで収納すると、ひきだし１６のピン１７は、保持部品５０の第二保持壁６２を押さえ移動する。【００２６】この際、保持部品５０は再びある角度の回転を行い、保持部品５０の第一サポート脚５４ａを連動し、導引部品２０の固定部４２から離脱させ、しかも、第三サポート脚５６ｂを連動し、導引部品２０の凸ブロック４０から離れさせ、かつ保持部品５０の頭部７０を連動し、導引部品２０の挟槽４８から離脱させる。これにより、保持部品５０の第一サポート部５４は戻り、導引部品２０の第一通路２８に接触し、弾性部品９０の引力作用を保持部品５０において受ける。これにより、ひきだし１６は弾性部品９０の引力を受け、家具本体１４内に完全に収納され、図９に示す状態を回復する。【００２７】エラー方式では、図１４に示すように、ひきだし１６が、家具本体１４に相対し、外へと引き出され移動し、保持部品５０を連動する時、もし保持部品５０の第一サポート脚５４ａが、導引部品２０の固定部４２をまだ押さえず、或いは、他の原因により、保持部品５０の第一サポート脚５４ａが、導引部品２０の固定部４２を押さえないなら、弾性部品９０の引力は保持部品５０に作用するため、保持部品５０は弾性部品９０の引力方向へと、引き戻され、予定の収納位置まで移動する。【００２８】この際、前記の使用方式に戻そうとするなら、ひきだし１６を、家具本体１４方向へと再び押し入れる。これにより、ひきだし１６のピン１７は保持部品５０の頭部７０に接触する。ひきだし１６が、家具本体１４の方向へと持続的に押し入れられ収納される時、ひきだし１６のピン１７は、頭部７０の斜面７２に沿って移動する。これにより、頭部７０は緩衝槽７１の方向へと圧迫移動するため、図１５に示すように、ひきだし１６のピン１７は、頭部７０の斜面７２を越え、接触停止面７３と係合し、保持部品５０の動作を再び連動することができる。
【実施例２】
【００２９】本考案第二実施例による回帰装置に、クッションブロック８４を増設する分解図である図１６に示すように、クッションブロック８４は保持部品５０の第二連接台７６上に設けて固定する(図１７と図１８を合わせて参照)。本実施例中では、２個の弾性部品９０ａ、９０ｂを備え、それぞれその一端と連接部品７８の連接部８０、８２は連接して設け、弾性部品９０ａ、９０ｂの反対端は、固定スライドレール１２に固定する。本考案第二実施例はさらに、緩衝部品８６を備え、緩衝部品８６は一端が、固定スライドレール１２に固定し、反対端は伸縮可能な内棒８８を備え、クッションブロック８４に連接する。こうして、回帰装置１０の保持部品５０に対して、緩衝の作用力を提供する。【００３０】本実施例の使用方式とエラー方式の操作は、前記実施例と相同であるが、その差異は、本実施例では、ひきだし１６が家具本体１４に相対し外へと引き出され予定距離の移動を行う時、緩衝部品８６の内棒８８が予定の長さ分伸び出し、保持部品５０を押さえる点である。図１９に示すように(この図中では、ひきだし１６は図示しない。ひきだし１６の形態については図８を参照)、ひきだし１６が引き出された後、家具本体１４へと収納されようとする時、緩衝部品８６により、回帰装置１０の保持部品５０に対して、緩衝の作用力を提供し、ひきだし１６が家具本体１４へと収納される力を緩和することができる。【００３１】上記は本考案の最適実施例に過ぎず、本考案技術内容の説明に用いたのみで、本考案を限定するものではない。本考案の保護範囲は特許請求の範囲を基準とする。
【産業上の利用可能性】
【００３２】本考案は実用新案の要件である新規性を備え、従来の同類製品に比べ十分な進歩を有し、実用性が高く、社会のニーズに合致しており、産業上の利用価値は非常に大きい。
【符号の説明】
【００３３】１０      回帰装置１２      固定スライドレール１３ａ    第一係合固定部１３ｂ    第二係合固定部１４      家具本体１６      ひきだし１７      ピン１８      ひきだしスライドレール２０      導引部品２２ａ    第一壁２２ｂ    第二壁２２ｃ    第三壁２２ｄ    第四壁２４      側壁２６      溝２８      第一通路３０      第二通路３２      第一端部３３      第一固定部３４      第二端部３５      第二固定部３６      第一欠口３８      第二欠口４０      凸ブロック４２      固定部４４      第一延伸板４６      第二延伸板４８      挟槽５０      保持部品５２      保持部５４      第一サポート部５４ａ    第一サポート脚５４ｂ    第二サポート脚５６      第二サポート部５６ａ    サポート板５６ｂ    第三サポート脚５８      凹状区域６０      第一保持壁６２      第二保持壁６４      ピン槽７０      頭部７１      緩衝槽７２      斜面７３      接触停止面７４      第一連接台７６      第二連接台７８      連接部品８０      連接部８２      連接部８４      クッションブロック８６      緩衝部品８８      内棒９０      弾性部品９０ａ    弾性部品９０ｂ    弾性部品
【手続補正２】
【補正対象書類名】実用新案登録請求の範囲
【補正対象項目名】全文
【補正方法】変更
【補正の内容】
【実用新案登録請求の範囲】
【請求項１】
ひきだしに用いる回帰装置は、少なくとも１個の固定スライドレール、家具本体、少なくとも１個のひきだしを備え、前記少なくとも１個のひきだしスライドレールを、前記ひきだしに設けて固定し、前記固定スライドレールは、前記家具本体に設けて固定し、前記ひきだしスライドレールは、スライド可能状態で前記固定スライドレールに連結し、前記ひきだしに用いる回帰装置は、導引部品、保持部品、弾性部品を備え、前記導引部品は、前記固定スライドレールに固定され、前記導引部品は、第一壁、第二壁を備え、及び第三壁は、第一壁一面の一部分から延伸し、これにより前記第一壁の面の他の部分は、第一通路を定義し、及び第四壁は、第二壁一面の一部分から延伸し、これにより第二壁の面の他の部分は第二通路を定義し、第一、第二壁の一端は、第一端部を延伸し、第一端部は、固定部を備え、第一通路に隣接し、前記保持部品は、第一サポート部を備え、前記導引部品の第一通路に接触し、及び第二サポート部は、第一サポート部より延伸し、前記第一サポート部は、第一サポート脚及び第二サポート脚を備え、前記第一サポート脚は前記導引部品の固定部に対応し、及び第二サポート脚と第一サポート脚との間には、凹状区域を定義し、前記第二サポート部は、サポート板及び第三サポート脚を備え、前記サポート板は、前記導引部品の第四壁に接触し、及び前記第三サポート脚は前記導引部品の第二通路に接触し、凹状区域により、前記保持部品は予定角度のピボット状動作が可能で、これにより第一サポート脚は、前記導引部品の固定部に接触することができ、前記保持部品はさらに、第一保持壁及び第二保持壁を備え、第一保持壁と第二保持壁との間にはピン槽を定義し、前記弾性部品の一端は、前記保持部品に連接し、反対端は、前記固定スライドレールに固定し、これにより、前記弾性部品は前記保持部品に対して後方へと引く弾力を備え、使用方式では、前記ひきだしは、ピンを備え、前記保持部品のピン槽に対応し、前記ひきだしが、前記家具本体内に完全に収納されると、前記ひきだしのピンは前記保持部品のピン槽内に入り、しかも前記弾性部品は前記保持部品に対して、前記弾性部品の固定端方向に向かう引力を備え、前記ひきだしが引き出され、予定の位置まで移動すると、前記ひきだしのピンは、前記保持部品の第一保持壁を押し、これにより前記保持部品はすぐにある角度の回転を行い、前記保持部品の第一サポート部の第一サポート脚は移動し、前記導引部品の第一通路を離れ、これにより、第一サポート脚は、前記導引部品の固定部に接触し、しかも前記ひきだしのピンは前記保持部品のピン槽を離れ、これにより前記ひきだしは前記弾性部品の引力作用から脱し、前記ひきだしが前記家具本体の方向へと移動し、予定位置に達すると、前記ひきだしのピンは前記保持部品の第二保持壁を押さえ、これにより前記保持部品はある角度の回転を行い、前記保持部品の第一サポート脚を連動し、前記導引部品の固定部から離脱させ、これにより前記保持部品は前記弾性部品の引力を受け、前記ひきだしは前記家具本体内側へと収納されることを特徴とする、ひきだしに用いる回帰装置。
【請求項２】
前記ひきだしに用いる回帰装置は、さらに第二端部を備え、前記第一、第二壁の反対端から延伸し、前記第二端部と前記第三壁及び第四壁との間には、第一欠口及び第二欠口を定義することを特徴とする、請求項１に記載のひきだしに用いる回帰装置。
【請求項３】
前記導引部品の第一端部は、第一延伸板と第二延伸板を備え、前記第二延伸板は、前記第一延伸板から内側へと延伸し、前記第一、第二延伸板の間には、挟槽を定義し、前記保持部品の一端には、頭部を延伸し、前記頭部は、前記導引部品の挟槽に対応して、挟まれることを特徴とする、請求項１に記載のひきだしに用いる回帰装置。
【請求項４】
前記第二通路は、凸ブロックを備え、前記保持部品が予定位置まで移動すると、前記第二サポート部の第三サポート脚は、前記凸ブロックに接触することを特徴とする、請求項１に記載のひきだしに用いる回帰装置。
【請求項５】
前記頭部と前記保持部品との間には、緩衝槽を定義し、前記頭部は、第二延伸板に対応し、上方へと傾斜する斜面を備え、及び接触停止面を設け、前記斜面に隣接し、しかも互いに鋭角を成すことを特徴とする、請求項３に記載のひきだしに用いる回帰装置。
【請求項６】
前記ひきだしに用いる回帰装置は、さらに側壁を備え、前記側壁は、第一壁と第二壁との間に延伸し、前記側壁と前記第一壁と前記第二壁との間には溝を定義し、前記保持部品は保持部、第一サポート部、第二サポート部を備え、前記溝内側へと延伸することを特徴とする、請求項１に記載のひきだしに用いる回帰装置。
【請求項７】
前記ひきだしに用いる回帰装置は、さらに第一連接台を備え、前記第一連接台は、前記保持部品の第二端部に設け、これに前記弾性部品の一端を連接して設けることを特徴とする、請求項１に記載のひきだしに用いる回帰装置。
【請求項８】
前記ひきだしに用いる回帰装置は、さらに前記第一連接台を連接する連接部品を備え、前記連接部品は２個の連接部を備え、２個の弾性部品は、その一端により、前記連接部品の連接部とそれぞれ連接して設け、前記弾性部品の反対端は、前記固定スライドレールに固定されることを特徴とする、請求項７に記載のひきだしに用いる回帰装置。
【請求項９】
前記ひきだしに用いる回帰装置は、さらに第一連接台及び第二連接台を備え、それぞれ前記保持部品の第二端部に設け、これによりそれぞれ連接部品及びクッションブロックと連接して設け、前記連接部品は２個の連接部を備え、これにより２個の弾性部品をそれぞれ設け、前記クッションブロックと緩衝部品は対応し、前記緩衝部品の一端は、前記固定スライドレールに固定し、反対端は、伸縮可能な内棒を備え、前記クッションブロックに接触し、前記保持部品に対して、緩衝の作用力を提供することを特徴とする、請求項１に記載のひきだしに用いる回帰装置。
【請求項１０】
ひきだしに用いる回帰装置は、少なくとも１個の固定スライドレール、家具本体、少なくとも１個のひきだしを備え、少なくとも１個のひきだしスライドレールをひきだしに設けて固定し、前記固定スライドレールは家具本体に設けて固定し、前記ひきだしスライドレールはスライド可能状態で固定スライドレールに連結し、前記ひきだしに用いる回帰装置は、導引部品、保持部品、弾性部品を備え、前記導引部品は、前記固定スライドレールに固定され、前記導引部品は、第一壁、第二壁を備え、第三壁は、前記第一壁一面の一部分から延伸し、これにより第一壁の面の他の部分は、第一通路を定義し、第四壁は、第二壁一面の一部分から延伸し、これにより第二壁の面の他の部分は第二通路を定義し、前記第一、第二壁の一端は、第一端部を延伸し、第一端部は、固定部を備え、第一通路に隣接し、前記保持部品は、第一サポート部を備え、前記導引部品の第一通路に接触し、第二サポート部は、第一サポート部より延伸し、前記第一サポート部は、第一サポート脚及び第二サポート脚を備え、第一サポート脚は前記導引部品の固定部に対応し、前記第二サポート脚と前記第一サポート脚との間には、凹状区域を定義し、第二サポート部は、サポート板及び第三サポート脚を備え、サポート板は、前記導引部品の第四壁に接触し、及び第三サポート脚は前記導引部品の第二通路に接触し、凹状区域により、前記保持部品は予定角度のピボット状動作が可能で、これにより第一サポート脚は、該導引部品の固定部に接触することができ、前記保持部品はさらに、第一保持壁及び第二保持壁を備え、前記第一保持壁と前記第二保持壁との間には、ピン槽を定義し、前記ひきだしは、ピンを備え、前記保持部品のピン槽に対応し、前記第一、第二保持壁は、前記導引部品の第一壁においておおよそ垂直で、しかも前記第一保持壁の頂端が、ピン槽の底端に対応する長さは、第一サポート脚の底端が隣接する凹状区域の頂端に対応する長さより短く、前記弾性部品の一端は、前記保持部品に連接し、反対端は、前記固定スライドレールに固定し、これにより、前記弾性部品は前記保持部品に対して後方へと引く弾力を備えることを特徴とする、ひきだしに用いる回帰装置。
【請求項１１】
前記ひきだしに用いる回帰装置は、さらに第二端部を備え、前記第一、第二壁の反対端から延伸し、前記第二端部と前記第三壁及び第四壁との間には、第一欠口及び第二欠口を定義することを特徴とする、請求項１０に記載のひきだしに用いる回帰装置。
【請求項１２】
前記導引部品の第一端部は、第一延伸板と第二延伸板を備え、前記第二延伸板は、前記第一延伸板から延伸し、前記第一、第二延伸板の間には、挟槽を定義し、前記保持部品の一端には、頭部を延伸し、前記頭部は、前記導引部品の挟槽に対応して、挟まれることを特徴とする、請求項１０に記載のひきだしに用いる回帰装置。
【請求項１３】
前記第二通路は、凸ブロックを備え、前記保持部品が予定位置まで移動すると、前記第二サポート部の第三サポート脚は、前記凸ブロックに接触することを特徴とする、請求項１０に記載のひきだしに用いる回帰装置。
【請求項１４】
前記頭部と前記保持部品との間には、緩衝槽を定義し、前記頭部は、第二延伸板に対応し、上方へと傾斜する斜面を備え、及び接触停止面を設け、前記斜面に隣接し、しかも互いに鋭角を成すことを特徴とする、請求項１２に記載のひきだしに用いる回帰装置。
【請求項１５】
前記ひきだしに用いる回帰装置は、さらに側壁を備え、前記側壁は、第一壁と第二壁との間に延伸し、前記側壁と前記第一壁と前記第二壁との間には溝を定義し、前記保持部品は保持部、第一サポート部、第二サポート部を備え、前記溝内側へと延伸することを特徴とする、請求項１０に記載のひきだしに用いる回帰装置。
【請求項１６】
前記ひきだしに用いる回帰装置は、さらに第一連接台を備え、前記第一連接台は、前記保持部品の第二端部に設け、これに前記弾性部品の一端を連接して設けることを特徴とする、請求項１０に記載のひきだしに用いる回帰装置。
【請求項１７】
前記ひきだしに用いる回帰装置は、さらに前記第一連接台を連接する連接部品を備え、前記連接部品は２個の連接部を備え、２個の弾性部品は、その一端により、前記連接部品の連接部とそれぞれ連接して設け、前記弾性部品の反対端は、前記固定スライドレールに固定されることを特徴とする、請求項１６に記載のひきだしに用いる回帰装置。
【請求項１８】
前記ひきだしに用いる回帰装置は、さらに第一連接台及び第二連接台を備え、それぞれ前記保持部品の第二端部に設け、これによりそれぞれ連接部品及びクッションブロックと連接して設け、前記連接部品は２個の連接部を備え、これにより前記２個の弾性部品をそれぞれ設け、前記クッションブロックと緩衝部品は対応し、前記緩衝部品の一端は、前記固定スライドレールに固定し、反対端は、伸縮可能な内棒を備え、前記クッションブロックに接触し、前記保持部品に対して、緩衝の作用力を提供することを特徴とする、請求項１０に記載のひきだしに用いる回帰装置。
【請求項１９】
回帰装置は、導引部品、保持部品、弾性部品を備え、前記導引部品は、第一壁、第二壁を備え、第三壁は、前記第一壁一面の一部分から延伸し、これにより前記第一壁の面の他の部分は、第一通路を定義し、第四壁は、前記第二壁一面の一部分から延伸し、これにより前記第二壁の面の他の部分は第二通路を定義し、前記第一、第二壁の一端は、第一端部を延伸し、第一端部は、固定部を備え、第一通路に隣接し、前記保持部品は、第一サポート部を備え、前記第一サポート部は、延伸して、前記導引部品の第一通路に接触し、第二サポート部は、前記第一サポート部より延伸し、前記第一サポート部は、第一サポート脚及び第二サポート脚を備え、前記第一サポート脚は前記導引部品の固定部に対応し、前記第二サポート脚と前記第一サポート脚との間には、凹状区域を定義し、前記第二サポート部は、サポート板及び第三サポート脚を備え、サポート板は、前記導引部品の第四壁に接触し、及び前記第三サポート脚は前記導引部品の第二通路に接触し、前記凹状区域により、前記保持部品は予定角度のピボット状動作が可能で、これにより第一サポート脚は、前記導引部品の固定部に接触することができ、前記保持部品はさらに、第一保持壁及び第二保持壁を備え、前記第一保持壁と前記第二保持壁との間にはピン槽を定義し、前記第一、第二保持壁は、前記導引部品の第一壁においておおよそ垂直で、しかも前記第一保持壁の頂端が、ピン槽の底端に対応する長さは、前記第一サポート脚の底端が隣接する凹状区域の頂端に対応する長さより短く、前記弾性部品は、第一端を備え、前記第一端は、前記保持部品に連接し、及び第二端は固定され、これにより、前記弾性部品は前記保持部品に対して弾性作用力を備えることを特徴とする、回帰装置。
【請求項２０】
前記回帰装置は、さらに第二端部を備え、前記第二端部は、前記第一、第二壁の反対端から延伸し、前記第二端部と前記第三壁及び第四壁との間には、第一欠口及び第二欠口を定義することを特徴とする、請求項１９に記載の回帰装置。
【請求項２１】
前記導引部品の第一端部は、第一延伸板と第二延伸板を備え、前記第二延伸板は、前記第一延伸板から内側へと延伸し、前記第一、第二延伸板の間には、挟槽を定義し、前記保持部品の一端には、頭部を延伸し、前記頭部は、前記導引部品の挟槽に対応して、挟まれることを特徴とする、請求項１９に記載の回帰装置。
【請求項２２】
前記第二通路は、凸ブロックを備え、前記保持部品が予定位置まで移動すると、前記第二サポート部の第三サポート脚は、前記凸ブロックに接触することを特徴とする、請求項１９に記載の回帰装置。
【請求項２３】
前記頭部と前記保持部品との間には、緩衝槽を定義し、前記頭部は、第二延伸板に対応し、上方へと傾斜する斜面を備え、及び接触停止面を設け、前記斜面に隣接し、しかも互いに鋭角を成すことを特徴とする、請求項２１に記載の回帰装置。
【請求項２４】
前記回帰装置は、さらに側壁を備え、前記側壁は、第一壁と第二壁との間に延伸し、前記側壁と前記第一壁と前記第二壁との間には溝を定義し、前記保持部品は保持部、第一サポート部、第二サポート部を備え、前記溝内側へと延伸することを特徴とする、請求項１９に記載のひきだしに用いる回帰装置。
【請求項２５】
前記回帰装置は、さらに第一連接台を備え、前記第一連接台は、前記保持部品の第二端部に設け、これに前記弾性部品の一端を連接して設けることを特徴とする、請求項１９に記載の回帰装置。
【請求項２６】
前記回帰装置は、さらに前記第一連接台を連接する連接部品を備え、前記連接部品は、２個の連接部を備え、２個の弾性部品は、それぞれその一端により、前記連接部品の連接部と連接して設けることを特徴とする、請求項２５に記載の回帰装置。
【請求項２７】
前記回帰装置は、さらに第一連接台及び第二連接台を備え、それぞれ前記保持部品の第二端部に設け、これによりそれぞれ連接部品及びクッションブロックと連接して設け、前記連接部品は２個の連接部を備え、これにより２個の弾性部品をそれぞれ設け、前記クッションブロックと緩衝部品は対応し、前記緩衝部品は、伸縮可能な内棒を備え、前記内棒は、前記クッションブロックに接触し、前記保持部品に対して、緩衝の作用力を提供することを特徴とする、請求項１９に記載の回帰装置。